(57)【要約】      （修正有）【課題】ユーザーが補助内容物と主内容物を混合させるために容器を振る過程において、補助内容物と主内容物の混合液が密閉部材の内部を十分に洗い流せる内容物が混合可能な蓋を提供する。【解決手段】開封時に内容物が混合可能な蓋は、蓋部材１００と密閉部材を有し、区切壁１２０の外周面又は密閉部材の内周面に沿って環状の第１突起帯２１６が突出形成され、蓋部材１００が容器３００の入口に密封された状態で１次的に分離されるように開封されると、補助内容物が容器３００の内部に落下され、同時に密閉部材が蓋部材１００の内部に結合された状態を維持して蓋部材１００の離脱を防止し、補助内容物と容器３００の内部に保管されている混合内容物が混合される過程で密閉部材の内部を十分に洗い流すことができる。【選択図】図３
2016190642.tif 000002
【特許請求の範囲】
【請求項１】
所定形状の容器の入口に密封又は開封され、補助内容物を隔離して保管するための所定形状の収容空間が一体に形成された蓋部材と、
前記蓋部材の収容空間の開放された底面を密閉し又は開放する、前記蓋部材が前記容器の入口に密封された状態であれば前記収容空間の底面を密閉して前記補助内容物を密閉保管し、前記蓋部材が１次的に部分分離されて開封された状態であれば前記区切壁の底面が開放されて前記補助内容物を前記容器の内部に排出する密閉部材と、
前記区切壁の外周面又は前記密閉部材の内周面に沿って突出形成された環状の第１突起帯とを有し、
前記蓋部材が前記容器の入口に密封された状態で１次的に部分分離されて開封された状態であれば、
前記補助内容物が前記容器の内部に落下し、
前記密閉部材が前記蓋部材の内部に結合された状態を維持し、
前記第１突起帯が前記蓋部材の脱落又は分離を防止し、
前記容器の内部に入れられている前記混合物が前記蓋部材を介して前記容器の外に漏れることを遮断することを特徴とする開封時に内容物が混合可能な蓋。
【請求項２】
前記蓋部材は、
前記容器の入口の外部に形成された雌ネジ山又は雄ネジ山により密封又は開封されるように内周面に雄ネジ山又は雌ネジ山が形成された蓋本体と、
前記収容空間を形成するように前記蓋本体の上部内面から下部方向に一体型に一定の長さが延長形成され、底面は開放された形状を持つ区切壁を含むことを特徴とする請求項１に記載の開封時に内容物が混合可能な蓋。
【請求項３】
前記蓋部材の上端部には、前記収容空間を広げるために前記収容空間又は前記蓋部材の上部方向に一体型に延長形成された拡張部をさらに含むことを特徴とする請求項１に記載の開封時に内容物が混合可能な蓋。
【請求項４】
前記密閉部材は、
前記蓋部材の上端内面から延長形成された前記区切壁が挿入されるように上端部が開放され、開放された上端外部面には、外方向に環状の突起端が突出形成され、下端部の側面エッジに沿って前記蓋部材の収容空間にある前記補助内容物が排出されるように複数の排出窓が一定間隔で切開形成される密閉本体と、
前記複数枚の排出窓の間に残っている多数のブリッジが前記密閉本体の末端部に連結され、前記蓋本体の前記区切壁の末端部が下側方向に嵌挿されるように垂直方向に支持壁が形成される密閉調節キャップを含むことを特徴とする請求項１に記載の開封時に内容物が混合可能な蓋。
【請求項５】
前記密閉本体の密閉調節壁の外径は、前記区切壁の下端部の内径と同一か或いはそれよりも大きく形成されることを特徴とする請求項４に記載の開封時に内容物が混合可能な蓋。
【請求項６】
前記密閉本体の外径と前記容器の入口の内径の結合度は、前記密閉調節壁の外径と前記区切壁の内径の結合度よりも大きく形成されることを特徴とする請求項４に記載の開封時に内容物が混合可能な蓋。
【請求項７】
所定形状の容器の入口に密封又は開封され、補助内容物を隔離して保管するための所定形状の収容空間が一体に形成された蓋部材と、
前記蓋部材の収容空間の開放された底面を密閉し又は開放する、前記蓋部材が前記容器の入口に密封された状態であれば前記収容空間の底面を密閉して前記補助内容物を密閉保管し、前記蓋部材が１次的に部分分離された開封された状態であれば前記の区切壁の底面が開放されて前記補助内容物を前記容器の内部に排出する密閉部材と、
前記密閉部材の内周面に沿って突出形成された環状の第１突起帯と、
前記区切壁の外周面に沿って突出形成された環状の第２突起帯とを有し、
前記蓋部材が前記容器の入口に密封された状態で１次的に部分分離されて開封された状態であれば、
前記補助内容物が前記容器の内部に落下し、
前記密閉部材が前記蓋部材の内部に結合された状態を維持し、
前記第１突起帯と前記第２突起帯が前記蓋部材の脱落又は分離を防止し、
前記容器の内部に入れられている前記混合内容物が前記蓋部材を介して前記容器の外に漏れることを遮断することを特徴とする開封時に内容物が混合可能な蓋。
【請求項８】
前記第１及び第２突起帯の大きさは、互いに同一に形成されるか、一つの突起帯が他の突起帯よりも相対的に大きく或いは小さく形成されることを特徴とする請求項７に記載の開封時に内容物が混合可能な蓋。
【発明の詳細な説明】
【技術分野】
【０００１】
本発明は、開封時に内容物が混合可能な蓋に関し、より詳細には蓋に隔離保管された補助内容物を混合するために容器を振る過程において密閉部材の内部を十分に洗浄できる、開封時に内容物が混合可能な蓋に関する。
【背景技術】
【０００２】
一般的に、飲料水や化粧品などが入れられる容器は、予め混合された内容物が入っているが、近年、消費者の様々なニーズを満たそうとしてユーザーが蓋を開けると、蓋に隔離状態で保管されている補助内容物が、即時、容器の内部に入っている主内容物と混合される機能性飲料や化粧品などが発売されている。
【０００３】
機能性飲料や化粧品に適用される初期の蓋は、ユーザーが蓋を開封すると、蓋の内部に保管されている補助内容物が容器の内部に落下し、同時に密閉部材のうち一部も一緒に容器の内部に落下されて入るという短所があった。
【０００４】
これらの問題点を解消しようと、同一の出願人が出願した大韓民国登録実用新案公報第２０−０３６３７０４号には、ユーザーが蓋を開封すると、補助内容物を密閉させる密閉部材が容器の内部に落下しない容器の蓋が開示されている。
【０００５】
しかし、上記大韓民国登録実用新案公報第２０−０３６３７０４号に開示された蓋を使用する場合、ユーザーが容器を密封する蓋を開封することにより、密閉部材を介して別途隔離保管されていた補助内容物が、主内容物の保管された容器の内部に落下する。この時、落下後に残留した補助内容物は、蓋とパッキング部材の内部に部分的に残っているしかなかった。以降、両内容物を混合させるために、ユーザーには蓋を容器の入口に再結合しなければならないという不便さがあった。なお、再結合状態で容器を上下に振ると、二種類の内容物はよく混合させる。
【０００６】
従って、ユーザーが蓋を完全に分離した後、内容物を飲用したり使用したりする時、容器の内部から排出される混合物は密閉部材を通過しながら密閉部材の内部に残っている高濃度の添加物と再混合されて、最終的には容器の内部から排出される混合物の初期濃度と後の濃度は多少大きな差が生じていた。
【０００７】
もし、添加剤の種類が酸味や苦味などの機能性健康飲料である場合、ユーザーは、機能性飲料を初めて飲む時には、密閉部材の内部に残滓する補助内容物との再混合によって、製品の企画による平均的な味よりは、やや過度な酸味や苦味を感じる。このような要因は消費者の不満要素として作用するであろう。
【０００８】
【特許文献１】大韓民国登録実用新案公報第２０−０３６３７０４号
【発明の開示】
【発明が解決しようとする課題】
【０００９】
本発明は、上述した問題点を解決するために案出されたものであって、本発明の目的は、ユーザーが補助内容物と主内容物を混合させるために容器を振る過程において、補助内容物と主内容物との混合液が密閉部材の内部を十分に洗い流せる内容物が混合可能な蓋を提供する。
【００１０】
本発明の他の目的は、ユーザーが補助内容物と主内容物とを混合させるために容器を振る時、蓋部材を容器の入口に再結合する工程を無くすことで、使用及び飲用時に利便性が与えられる、開封時に内容物が混合可能な蓋を提供する。
【課題を解決するための手段】
【００１１】
上記目的を達成するための本発明の特徴的構成は、
所定形状の容器の入口に密封又は開封され、補助内容物を隔離して保管するための所定形状の収容空間が一体に形成された蓋部材と、
前記蓋部材の収容空間の開放された底面を密閉し又は開放する、前記蓋部材が前記容器の入口に密封された状態であれば前記収容空間の底面を密閉して前記補助内容物を密閉保管し、前記蓋部材が１次的に部分分離されて開封された状態であれば前記区切壁の底面が開放されて前記補助内容物を前記容器の内部に排出する密閉部材と、
前記区切壁の外周面又は前記密閉部材の内周面に沿って突出形成された環状の第１突起帯とを有し、
前記蓋部材が前記容器の入口に密封された状態で１次的に部分分離されて開封された状態であれば、
前記補助内容物が前記容器の内部に落下し、
前記密閉部材が前記蓋部材の内部に結合された状態を維持し、
前記第１突起帯が前記蓋部材の脱落又は分離を防止し、
前記容器の内部に入れられている前記混合内容物が前記蓋部材を介して前記容器の外へ漏れることを遮断することを特徴とする。
【００１２】
上記の他の目的を達成するための本発明の特徴的構成は、
所定形状の容器の入口に密封又は開封され、補助内容物を隔離して保管するための所定形状の収容空間が一体に形成された蓋部材と、
前記蓋部材の収容空間の開放された底面を密閉し又は開放する、前記蓋部材が前記容器の入口に密封された状態であれば前記収容空間の底面を密閉して前記補助内容物を密閉保管し、前記蓋部材が１次的に部分分離されて開封された状態であれば前記区切壁の底面が開放されて前記補助内容物を前記容器の内部に排出する密閉部材と、
前記密閉部材の内周面に沿って突出形成された環状の第１突起帯と前記区切壁の外周面に沿って突出形成された環状の第２突起帯とを有し、
前記蓋部材が前記容器の入口に密封された状態で１次的に部分分離されて開封された状態であれば、
前記補助内容物が前記容器の内部に落下し、
前記密閉部材が前記蓋部材の内部に結合された状態を維持し、
前記第１突起帯と前記第２突起帯が前記蓋部材の脱落又は分離を防止し、
前記容器の内部に入れられている前記混合内容物が前記蓋部材を介して前記容器の外へ漏れることを遮断することを特徴とする。
【発明の効果】
【００１３】
以上説明したように、本発明に係る開封時に内容物が混合可能な蓋によると、次のような利点がある。
【００１４】
まず、ユーザーが蓋部材を１次開封して隔離保管された補助内容物が主内容物を保管している容器の内部に落下させた状態で、ユーザーが補助内容物と主内容物とを上手く混合させるために容器を振ると、補助内容物と主内容物とが混合される過程で密閉部材の内部を十分に洗い流すことができる。従って、蓋部材が容器の入口で完全に開封された状態では、ユーザーが容器の内部に入れられた混合液を飲用又は使用しても、容器の内部で密閉部材を介して排出される混合液は均一な濃度を有する。
【００１５】
また、ユーザーが蓋部材を１次開封して隔離保管された補助内容物が主内容物を保管している容器の内部に落下された状態で、ユーザーが補助内容物と主内容物とを混合するために容器を振った時、蓋部材を容器に再結合する必要がなくなり、混合工程を従来よりも単純化することができる。
【図面の簡単な説明】
【００１６】
【図１】本発明の好ましい実施形態による開封時に内容物が混合可能な蓋において蓋部材の斜視図及び断面図である。
【図２】本発明の好ましい実施形態による開封時に内容物が混合可能な蓋において密閉部材の斜視図及び断面図である。
【図３】本発明の好ましい実施形態による開封時に内容物が混合可能な蓋の断面図である。
【図４】本発明の好ましい実施形態による開封時に内容物が混合可能な蓋に一つの突起帯が備えられた場合の動作状態を説明するための断面図である。
【図５】本発明の好ましい実施形態による開封時に内容物が混合可能な蓋に一対の突起帯が備えられた場合の動作状態を説明するための断面図である。
【図６】本発明の好ましい実施形態による開封時に内容物が混合可能な蓋の断面図である。
【図７】本発明の好ましい実施形態による開封時に内容物が混合可能な蓋の組み立て及び開封動作と飲用又は使用動作を順次に説明するための断面図である。
【発明を実施するための最良の形態】
【００１７】
本明細書及び請求の範囲で使用する用語や単語は、通常的又は辞典的な意味に限定して解釈されるのではなく、「発明者は、自身の発明を最善の方法で説明するために用語の概念を適切に定義することができる」という原則に踏まえて本発明の技術的思想に符合する意味と概念として解釈されなければならない。
【００１８】
また、本明細書に記載された実施形態及び図面に示した構成は、本発明の好ましい実施形態に過ぎないものであって、本発明の技術的思想を全て代弁することではないので、本出願時点においてこれらを代替できる様々な均等物及び変形例があり得ることを理解しなければならない。
以下、本発明の好ましい実施形態について図面を参照して詳細に説明する。
【００１９】
図１ａ乃至図１ｃは本発明の好ましい実施形態に係る、開封時に内容物が混合可能な蓋において蓋部材の斜視図及び断面図であり、図２ａ乃至図２ｃは本発明の好ましい実施形態による、開封時に内容物が混合可能な蓋において密閉部材の斜視図及び断面図、図３は本発明の好ましい実施形態による、開封時に内容物が混合可能な蓋の断面図である。
【００２０】
まず、図１乃至図３を参照すると、本発明の開封時に内容物が混合可能な蓋は、蓋部材１００と、蓋部材１００の底面に組み立て又は分離されて蓋部材１００の内部を密閉又は開放させる密閉部材２００とを備える。
【００２１】
ここで、蓋部材１００は、飲料容器３００の入口３１０を密封したり開封したりして、補助内容物を収容するための所定形状の収容空間１３０を形成するように上部内面から下部方向に一定の長さが延長形成された円筒形状の区切壁１２０が一体型に形成される。
【００２２】
また、密閉部材２００は、蓋部材１００の内部に形成された収容空間１３０の開放された底面を密閉又は開放するように嵌挿又は分離されることができ、蓋部材１００が容器３００の入口３１０に密封された状態であれば、収容空間１３０を密閉して補助内容物を隔離保管し、蓋部材１００の密封が解除された状態、即ち、開封された状態であれば区切壁１２０の底面を開放して補助内容物が自重により容器３００の内部に排出される。
【００２３】
ここで、密封とは、製品の生産時又はユーザーが蓋部材１００を容器３００の入口３１０に結合して蓋部材１００の内周面に形成された雌ネジ山１１２と容器３００の入口外周面に形成された雄ネジ山３１２とが結合されて蓋部材１００の内部に形成された収容空間１３０が密閉部材２００によって密閉された状態を意味し、開封とは、ユーザーによって蓋部材１００が容器３００の入口３１０に密閉されるように結合された状態から、ユーザーが蓋部材１００を回して蓋部材１００の内周面に形成された雌ネジ山１１４と容器３００の入口外周面に形成された雄ネジ山３１２との結合状態が１次的に分離された状態を意味する。
【００２４】
蓋部材１００は、図１ａ乃至図１ｃに示すように、容器３００の外部入口に形成された雄ネジ山３１２によって密封又は開封されるように内周面に雌ネジ山１１２が形成された蓋本体１１０と、収容空間１３０を形成するように蓋本体１００の上部内面から下部方向に一体型に一定の長さが延長形成され、底面は開放された円筒形の区切壁１２０とを備える。
【００２５】
また、本発明の好ましい実施形態では、区切壁１２０の形状が円筒形状に記載されているが、必要に応じて、三角筒形状、四角筒形状、五角筒形状、六角筒形など様々に変形可能であり、区切壁１２０の内部直径が区切壁１２０の開始部分から末端部に行くほど内径及び外径が段々大きくなったり或いは小さくなったり或いは同一の径を持つように設計することもできるであろう。
【００２６】
図１ａ乃至図１ｂに示すように、蓋本体１１０の下端末端部に形成されたスカート１１４は、蓋本体１１０の厚さよりも相対的に薄く形成されて弾力性を持ちながらも、容器３００の入口３１０の外周面に最初密封された状態から、蓋本体１００が開封される瞬間、容器３００の入口３１０の下端部に形成された係止爪３１４により互いに分離される。これにより、ユーザーは、容器３００の最初の開封有無を確認することができる。
【００２７】
また、蓋部材１００の上端部には、蓋部材１００の内部に別途形成された収容空間１３０の大きさをより大きなものとするために、収容空間１３０の上部方向に拡張部１４０が一体型に延長形成される。即ち、図３で蓋部材１００の内部に形成された収容空間１３０の上端部に表示された、拡張された収容空間１３０ａ分がさらに大きくなる。拡張された収容空間１３０ａの大きさ及び形状は、製品の設計時に様々に応用することができる。従って、メーカーは収容空間１３０の内部に格納される補助内容物と容器３００の内部に格納される主内容物の特性及び混合比率とに応じて、拡張部１４０の大きさ及び形状を調節することができる。
【００２８】
一方、密閉部材２００は、図２ａ乃至図２ｃに示すように、蓋部材１００の上端内面から延長形成された区切壁１２０が挿入されるように上端部が開放され、開放された上端外部面には、外方向に環状の突出端２１２が突出形成され、外周面の上端位置から外周面に沿ってテーパ部２１４が形成され、内周面の中間位置に内周面に沿って環状の第１突起帯２１６が突出形成され、下端部の側面エッジに沿って蓋部材１００の収容空間１３０にある補助内容物が排出されるように複数枚の排出窓２１８が一定間隔で切開形成される密閉本体２１０と、多数の排出窓２１８間に残っている多数のブリッジ２１９が密閉本体２１０の末端部にそれぞれ連結され、蓋部材１００の区切壁１２０の内径末端部が下側方向に嵌挿されるように垂直方向に円筒形の密閉調節壁２２２が形成され、円筒形の密閉調節壁２２２から上部方向に頂点を持つように傾斜された傾斜仕上部２２４が形成され、円筒形の密閉調節壁２２２と傾斜仕上部２２４を有する密閉調節キャップ２２０とを備える。
【００２９】
図４ａ乃至図４ｂは、本発明の好ましい実施形態に係る、開封時に内容物が混合可能な蓋に一つの突起帯が備えられた場合の動作状態を説明するための断面図であって、図４ａは蓋部材１００の内部に密閉部材２００が嵌挿された状態を示した図であり、図４ｂは蓋部材１００の内部に嵌挿された密閉部材２００が開封されて１次分離された状態を示す図である。図４ｂを参照すると、本発明の好ましい実施形態において、密閉調節キャップ２２０の密閉調節壁２２２が蓋部材１００の区切壁１２０の下端に嵌挿されるためには、密閉本体２１０の密閉調節壁２２２の外径Ｄ２は、区切壁１２０の下端部の内径Ｄ１と同一か或いはそれよりも大きく形成されなければならず、同一な方法で密閉本体２１０の上端部内径も区切壁１２０の上端の径よりも同一か或いはそれよりも大きく形成されることが好ましい。
【００３０】
このとき、蓋部材１００の内部に密閉部材２００が嵌挿された状態で、蓋部材１００と密閉部材２００とが互いに密閉される位置は、図４ａに示すように、容器の入り口の内径と密閉本体２１０の外径とが互いに接する第１密閉部（ｍ１）と、蓋本体１１０の内部上端天井部と密閉本体２１０の上端とに形成された環状の突出端２１２の上端面とが互いに接する第２密閉部（ｍ２）と、区切壁１２０の外周面と密閉本体２１０の内周面に形成された環状の第１突起帯２１６とが互いに接する第３密閉部（ｍ３）と、区切壁１２０の末端内周面と密閉調節キャップ２２０の密閉調節壁２２２の外周面とが互いに接する第４密閉部（ｍ４）とを含む。
【００３１】
従って、ユーザーが蓋部材１００の内部に密閉部材２００が嵌挿された状態で１次的に部分分離されて蓋部材１００が開封される場合には、図４ｂに示すように、第２密閉部（ｍ２）、第４密閉部（ｍ４）は離隔され、収容空間１３０に分離保管された補助内容物が排出窓２１８を介して排出され、第１密閉部（ｍ１）と第３密閉部（ｍ３）とは密閉力を維持している。
【００３２】
また、本発明の好ましい実施形態では、密閉本体２１０の外径と容器の３００の入口の内径との結合度（Ｐ１）を密閉調節壁２２２の外径と区切壁１２０の内径との結合度（Ｐ３）よりも大きく形成して、ユーザーが蓋部材１００を容器３００の入口３１０から完全に除去する場合にも、密閉部材２００が容器３００の入口３１０に固定されることになる。従って、区切壁１２０の外周面と密閉本体２１０の内周面とに形成された環状の第１突起帯２１６の結合度をＰ２とすれば、下記のような数式を満たすことができる。
【００３３】
（数１）
Ｐ１＞Ｐ３＋Ｐ２
【００３４】
また、上述した結合度（Ｐ１、Ｐ２、Ｐ３）は、密閉本体２１０の内径又は外径の寸法を調整する、又は、互いに結合される結合面積の調整を通じて調節することができる。
【００３５】
図５ａ乃至図５ｂは、本発明の好ましい実施形態に係る、開封時に内容物が混合可能な蓋に一対の突起帯（１１６、２１６）が備えられた場合の動作状態を説明する機の断面図であって、図５ａは蓋部材１００の内部に密閉部材２００が嵌挿された状態を示した図であり、図５ｂは蓋部材１００の内部に嵌挿された密閉部材２００が１次分離されて開封された状態を示す図である。
【００３６】
ここで、図４ａ乃至図４ｂと図５ａ及び図５ｂとを比較すると、密閉本体２１０の内周面に形成された環状の第１突起帯２１６が区切壁１２０の外周面と互いに接する第３密閉部（ｍ３）以外は同一である。つまり、ユーザーが蓋部材１００の内部に密閉部材２００が嵌挿された状態から、１次的に分離されて蓋部材１００が開封される場合には、図５ｂに示すように、第２密閉部（ｍ２）、第４密閉部（ｍ４）は離隔されて収容空間１３０に隔離保管された補助内容物が排出窓２１８を介して排出され、一対の第１及び第２突起帯（１１６,２１６）が互いに密着されて形成され、第１密閉部（ｍ１）と第３密閉部（ｍ３）とは密閉力を維持する。
【００３７】
図４に示された本発明の好ましい実施形態においては、環状の第１突起帯２１６が密閉本体２１０の内周面に沿って水平方向に形成されたが、図５では環状の第１突起帯２１６が密閉本体２１０の内周面に沿って水平方向に形成され、かつ、環状の第２突起帯１１６が蓋本体１１０の区切壁１２０の外周面に沿って水平方向に形成される。
【００３８】
このような環状の第１及び第２突起帯（２１６、１１６）は、蓋部材１００の内部に密閉部材２００が嵌挿された状態では、図４ａ及び図５ａに示すように、容器３００の内部に保管されている主内容物が蓋部材１００の内部に形成された区切壁１２０の外周面を介して容器の外に漏れないように密閉させる第３密閉部（ｍ３）の役割をする。
【００３９】
一方、図４ｂ及び図５ｂに示すように、蓋部材１００の内部に密閉部材２００が嵌挿された状態で１次的に部分分離されて蓋部材１００が開封される場合にも、第２密閉部（ｍ２）、第４密閉部（ｍ４）は離隔され収容空間１３０に隔離保管された補助内容物が排出窓２１８を介して排出されるが、一対の第１又は第２突起帯（２１６、１１６）は、蓋部材１００が密閉部材２００から脱落すること、或いは、分離することを防止し、容器３００の内部に入れられている混合内容物が蓋部材１００の内部に形成された区切壁１２０の外周面を介して容器の外に漏れることを遮断する役割をする。
【００４０】
このような環状の第１及び第２突起帯（２１６、１１６）の形状は、半円形に突出形成されることが好ましく、この時、二つの突起帯（２１６、１１６）の大きさは互いに同一であるか或いは一つの突起帯が他の突起帯よりも相対的に大きいか或いは小さく形成されることが好ましい。
【００４１】
このように二つの環状の突起帯（２１６、１１６）が形成される場合には、複数の排出窓２１８が開放される長さは、二つの突起帯（２１６、１１６）の離隔された長さほど一定になるであろう。
【００４２】
図６ａ乃至図６ｄは、本発明の好ましい他の実施形態に係る、開封時に内容物が混合可能な蓋の断面図であって、図６ａは蓋本体１１０から上部方向に一体型に延長形成された拡張部１４０が区切壁１２０の上端部と分離された形状を示し、図６ｂは密閉部材２００の密閉本体２１０の上端部に形成された環状の突出端２１２の上端に延長端２１０ａが一体型に延長形成されたことを示し、図６ｃは図６ａ及び図６ｂに示された蓋部材１００と密閉部材２００とが互いに組み立てられた状態を示したものである。図６ａ乃至図６ｃと図１ａ乃至図１ｃを比較すると、拡張部１４０の大きさは同一であり、拡張部１４０の側面部が図１ａ乃至図１ｃに示されたように区切壁１２０の上端部から成ることもでき、図６ａ乃至図６ｃに示されたように密閉部材２１０の上端部と一体型に形成されるように別途形成されることもできる。
【００４３】
一方、図６ｄは図１ａに示された蓋部材１００と図２に示された密閉部材２００とが互いに組み立てられた状態を示したものであって、図６ｂに示された延長端２１０ａが形成されていない密閉部材２００を使用しても密閉力が同一であることを示す。
以下、上記した本発明の好ましい実施形態に係る容器蓋の組立方法、開封動作及び飲用のための動作を図７を参照して説明する。
【００４４】
まず、図７ａに示すように、蓋部材１００を逆立させた状態でユーザーの手動操作又は適切なジグ（図示せず）で区切壁１２０によって形成された収容空間１３０に補助内容物を充填する。この時、収容空間１３０に充填される補助内容物は高濃度で梅液のような濃縮された液状物、粉ミルクやきな粉のような粉末やビタミンのような錠剤、顆粒など様々な形態の内容物のうち選択することができる。
【００４５】
次に、図７ｂに示すように、ユーザーの手動操作又は適切なジグ（図示せず）を利用して密閉部材２００を逆立させて蓋部材１００の内部に挿入して組み立てる。
【００４６】
この時、蓋部材１００の区切壁１２０の末端部は、密閉部材２００の円筒形の密閉調節壁２２２の外径に嵌挿されるとともに、密閉部材２００の密閉本体２１０の上端部に形成された環状の突出端２１２は、蓋部材１００と区切壁１２０との間に形成される空間に位置する。従って、密閉本体２１０の内部に形成された環状の第１突起帯２１６は、密閉部材２００が蓋部材１００の内部から一部離隔された状態でも蓋部材１００が脱落すること、又は、分離することを防止し、容器３００の内部に入れられている主内容物が、蓋部材１００の内部に形成された区切壁１２０の外周面を介して容器の外に漏れることを遮断する。ここで、容器３００の内部に入れられている主内容物は、水のように多量の内容物であろう。
【００４７】
また、図７ｃに示すように、ユーザーの手動操作又は適切なジグ（図示せず）を利用して、蓋部材１００と密閉部材２００とが結合されたアセンブリ形態の蓋を、容器３００の入口３１０に結合させる。
【００４８】
図７ｄに示すように、ユーザーが蓋部材１００を容器３００に対して上部方向に移動するように回転させると、蓋部材１００が容器３００から１次的に分離され開封される。この時、密閉本体２１０の外径と容器３００の入口の内径との結合度Ｐ１が密閉調節壁２２２の外径と区切壁１２０の内径の結合度Ｐ３よりも大きいので、密閉部材２００が容器３００の入口３１０に固定され、密閉部材２００の円筒形の密閉調節壁２２２と区切壁１２０との間の密閉が解除されて、収容空間１３０に収納された補助内容物が複数枚の排出窓２１８を介して自重により容器３００の内部に落下する。
【００４９】
この時、密閉部材２００は、容器３００の入口３１０に挿入された状態を維持しており、また、一対の第１又は第２突起帯（２１６、１１６）は、蓋部材１００の脱落や分離を防止し、容器３００の内部に入れられている混合内容物が蓋部材１００の内部に形成された区切壁１２０の外周面を介して容器の外に漏れることを遮断する。
【００５０】
従って、ユーザーは、図７ｅに示すように容器３００を上下に振る、又は、転がすなどの方法で補助内容物と主内容物とを混合することができ、混合物は密閉部材２００の複数枚の排出窓２１８を介して密閉部材２００の内部を十分に洗い流せることができ、この場合も蓋部材と密閉部材との気密性は保持される。
【００５１】
続いて、ユーザーは、図７ｆに示されるように、蓋部材１００を容器３００から完全に分離することによって、混合された内容物を飲用する、或いは、使用することができる。容器３００の内部で密閉部材２００を介して排出される混合物は、十分に洗い流した密閉部材２００を介して排出されるので、均一な濃度を持つ混合物が排出される。
【００５２】
本明細書及び図面に開示された本発明の実施形態は、理解を助けるために特定の例を提示したものに過ぎず、本発明の範囲を限定するものではない。ここに開示された実施形態の他にも、本発明の技術的思想に基づく他の変形例が実施可能であるということは、本発明の属する技術分野において通常の知識を持つ者であれば自明なことである。
【符号の説明】
【００５３】
１００  蓋部材
１１０  蓋本体
１２０  区切壁
１３０  収容空間
１４０  拡張部
２００  密閉部材
２１０  密閉本体
２１２  突起端
２１４  テーパ部
２１６  突起帯
２１８  排出窓
２２０  密閉調節キャップ
２２２  密閉調節壁
２２４  傾斜仕上部
３００  容器
３１０  入口
【図１ａ】
2016190642.tif 000003
【図１ｂ】
2016190642.tif 000004
【図１ｃ】
2016190642.tif 000005
【図２ａ】
2016190642.tif 000006
【図２ｂ】
2016190642.tif 000007
【図２ｃ】
2016190642.tif 000008
【図３】
2016190642.tif 000009
【図４ａ】
2016190642.tif 000010
【図４ｂ】
2016190642.tif 000011
【図５ａ】
2016190642.tif 000012
【図５ｂ】
2016190642.tif 000013
【図６ａ】
2016190642.tif 000014
【図６ｂ】
2016190642.tif 000015
【図６ｃ】
2016190642.tif 000016
【図６ｄ】
2016190642.tif 000017
【図７ａ】
2016190642.tif 000018
【図７ｃ】
2016190642.tif 000019
【図７ｄ】
2016190642.tif 000020
【図７ｆ】
2016190642.tif 000021
【図７ｂ】
2016190642.tif 000022
【図７ｅ】
2016190642.tif 000023